(57)【要約】【課題】二剤混合のために容器口部に対して着脱可能に構成しながら、構造の簡素化を図りつつも内容液の吐出路の開閉を簡単な操作で行うことのできる櫛部材を備えるキャップを提供する。【解決手段】容器口部２に着脱可能なキャップ本体１１と、該本体１１に対して閉塞位置と吐出位置との間で回転操作可能に取り付けられる櫛部材２０と、櫛部材２０が閉塞位置にあるときに閉塞され且つ櫛部材２０が吐出位置にあるときに開かれるように本体１１と櫛部材２０とにわたって設けられた吐出路とを備える。櫛部材２０は、キャップ本体１１とともに容器口部２に対して着脱されるように前記本体１１を介して容器口部２に取り付けられている。【選択図】  図１
2004180965.tif 000002
【特許請求の範囲】
【請求項１】
容器の口部に装着されるキャップであって、前記口部に着脱自在に取り付けられるキャップ本体と、該本体に対して閉塞位置と第１吐出位置との間で回転操作可能に取り付けられ且つ容器内容物を被塗布対象に塗布するのに用いられる塗布部材と、塗布部材が閉塞位置にあるときに閉塞され且つ塗布部材が第１吐出位置にあるときに開かれるように前記本体と塗布部材とにわたって設けられた吐出路とを備え、塗布部材は、キャップ本体とともに容器口部に対して着脱されるように前記本体を介して容器口部に取り付けられることを特徴とする容器内容物の塗布部材を備えるキャップ。
【請求項２】
請求項１に記載のキャップにおいて、塗布部材は複数の櫛歯を有する櫛部材であり、複数の櫛歯内部には、その基端側から先端側に延びる流通路が形成されており、該流通路は前記吐出路の一部を構成することを特徴とする容器内容物の塗布部材を備えるキャップ。
【請求項３】
請求項２に記載のキャップにおいて、複数の櫛歯は一列に配置されており、キャップ本体には、第１吐出位置にある塗布部材の前記流通路に対応する位置に、各流通路と容器内部とを連通させる第１連通孔が設けられており、該第１連通孔は前記吐出路の一部を構成し、塗布部材には、閉塞位置にあるときに各第１連通孔を塞ぐ第１閉塞部が設けられており、該第１閉塞部と流通路とは、塗布部材の回転軸を中心とする同心円状に配置されていることを特徴とする容器内容物の塗布部材を備えるキャップ。
【請求項４】
請求項３に記載のキャップにおいて、塗布部材は前記本体に対して第２吐出位置へ回転操作可能であり、キャップ本体には、第２吐出位置にある塗布部材の複数の流通路のうちの一部の流通路に対応する位置に、流通路と容器内部とを連通させる第２連通孔が設けられており、該第２連通孔は前記吐出路の一部を構成し、塗布部材には、閉塞位置にあるときに各第２連通孔を塞ぐ第２閉塞部が設けられており、該第２閉塞部と流通路とは、塗布部材の回転軸を中心とする同心円状に配置されていることを特徴とする容器内容物の塗布部材を備えるキャップ。
【請求項５】
請求項４に記載のキャップにおいて、流通路と、第１閉塞部と、第２閉塞部とが、塗布部材の回転軸を中心としてそれぞれ所定角度位置に配設されていることを特徴とする容器内容物の塗布部材を備えるキャップ。
【請求項６】
請求項２に記載のキャップにおいて、塗布部材は、円筒状の基部を備えるとともに該基部がキャップ本体に螺着されており、基部の内部空間に前記複数の櫛歯の流通路の基端が開口されており、キャップ本体は、容器内部空間と塗布部材の基部の内部空間とを仕切る天板部を備え、該天板部には、塗布部材の回転軸心を中心とする円周状の連通孔が設けられ、該連通孔は、塗布部材の基部の内部空間と容器内部空間とを連通させるものであり、塗布部材は、さらに、前記連通孔を閉塞するように嵌合可能な円筒状の栓を一体に備え、塗布部材が閉塞位置にあるとき前記栓が前記連通孔に嵌合し、塗布部材を第１吐出位置に回転操作することにより塗布部材が前記本体に対して螺進して前記栓が前記連通孔から離脱することを特徴とする容器内容物の塗布部材を備えるキャップ。
【発明の詳細な説明】
【０００１】
【発明の属する技術分野】
本発明は、染毛剤用容器のキャップとして好適に用いることができ、特に、使用開始時に二剤混合等のために取り外すことが可能であるとともに、装着状態においても塗布部材への吐出路を開閉操作可能な容器内容物の塗布部材を備えるキャップに関する。
【０００２】
【従来の技術】
従来の毛染め剤として、使用時に二液を混合して使用する二液混合型のものがある。この二液混合型の毛染め剤を流通・販売する際には、１液並びに２液をそれぞれボトル容器等に収容し、その口部を液止め用のキャップにより密封するとともに、２液混合後に付け替える櫛型の毛染め用のキャップ（塗布部材）を同梱している。
【０００３】
そして、使用時には、１液のボトル容器から液止め用キャップを取り外し、２液を注入混合した後、再度液止め用キャップを１液のボトル容器に取り付け、２液を十分に混合させるために、よく振り混ぜる。その後、液止め用キャップを毛染め用キャップに付け替えて使用する。この種の１液用の容器並びに櫛型キャップとしては、特許文献１並びに特許文献２が公知である。
【０００４】
また、使用の際に開閉可能なキャップ構造を採用した従来技術として、特許文献３に記載の櫛付き容器も知られている。
【０００５】
【特許文献１】
特開２００２−１５９３２３号公報
【特許文献２】
意匠登録第１０８９２９８号公報
【特許文献３】
特開平６−７０８０９号公報
【０００６】
【発明が解決しようとする課題】
しかし、上記特許文献１及び２に記載のものでは、櫛型キャップに毛染め剤吐出路の開閉構造が存在せず、櫛型キャップを装着した状態では常時開口されている状態であるから、２液混合時にユーザーが誤って櫛型キャップを取り付けて振り混ぜると、毛染め剤が周囲に飛散し、ユーザーの被服や周辺の物品を染色してしまい、ユーザーに損害を蒙らせてしまうことがある。また、一度取り外した液止め用キャップを再度取り付け、振り混ぜた後に液止め用キャップを櫛型キャップに交換する必要があり、この付け替えの手間が煩雑であった。
【０００７】
また、特許文献３に記載の櫛付き容器は、キャップをボトル容器から取り外すことができない構造となっていることから、そもそも二剤混合型の染毛剤に用いることを考慮したものではない。
【０００８】
そこで、本発明は、二剤混合等のために容器口部に対して着脱可能に構成しながら、構造の簡素化を図りつつも内容液の吐出路の開閉を簡単な操作で行うことのできる容器内容物の塗布部材を備えるキャップを提供することを目的とする。
【０００９】
【課題を解決するための手段】
本発明は、上記目的を達成するために、次の技術的手段を講じた。
【００１０】
即ち、本発明の容器内容物の塗布部材を備えるキャップは、容器の口部に装着されるキャップであって、前記口部に着脱自在に取り付けられるキャップ本体と、該本体に対して閉塞位置と第１吐出位置との間で回転操作可能に取り付けられ且つ容器内容物を被塗布対象に塗布するのに用いられる塗布部材と、塗布部材が閉塞位置にあるときに閉塞され且つ塗布部材が第１吐出位置にあるときに開かれるように前記本体と塗布部材とにわたって設けられた吐出路とを備え、塗布部材は、キャップ本体とともに容器口部に対して着脱されるように前記本体を介して容器口部に取り付けられていることを特徴とするものである。本発明のキャップは、特に、二剤混合毛染め剤などの第一剤に第二剤を混合して使用する場合の第一剤の収容容器に好適に用いることができる。
【００１１】
これによれば、櫛部材などの塗布部材を閉塞位置に保持しておくことにより、キャップに設けた吐出路が閉塞されるため、塗布部材を装着した状態で第一剤を容器に収容梱包し、保管・流通させることができる。そして、使用時には、塗布部材とともにキャップ本体を容器口部から取り外し、開口された容器口部から第二剤を注入し、塗布部材とともにキャップ本体を容器口部に取り付けて、塗布部材を閉塞位置に保持したまま強く振り混ぜることによって容器内で第一剤と第二剤とを十分に混合させることができる。その後、キャップを再度取り外すことなく、塗布部材を第１吐出位置に回転操作するだけで、吐出路を介して容器内容物を塗布部材にまで流通させ吐出させることができる。
【００１２】
上記本発明のキャップにおいて、塗布部材は複数の櫛歯を有する櫛部材であってよい。この複数の櫛歯内部には、その基端側から先端側に延びる流通路を形成することができ、該流通路は前記吐出路の一部を構成する。これによれば、容器内容物である毛染め剤等を複数の櫛歯間に均一に吐出させて、他の塗布用具を用いることなくムラのない毛染めを行うことができる。
【００１３】
また、複数の櫛歯は一列に配置することができる。キャップ本体には、第１吐出位置にある塗布部材の前記流通路に対応する位置に、各流通路と容器内部とを連通させる第１連通孔を設けることができる。この第１連通孔は前記吐出路の一部を構成する。塗布部材には、閉塞位置にあるときに各第１連通孔を塞ぐ第１閉塞部を設けることができる。この第１閉塞部と流通路とは、塗布部材の回転軸を中心とする同心円状に配置されていてよい。これによれば、塗布部材が第１吐出位置にあるときは、櫛歯の流通路とキャップ本体の第１連通孔とが連通し、これら流通路並びに第１連通孔によって吐出路が開口形成される。一方、塗布部材が閉塞位置にあるときは、キャップ本体の第１連通孔が塗布部材の第１閉塞部によって閉塞され、容器口部を密封することが可能である。そして、第１閉塞部と流通路とを同心円状に配置したので、一列に配置された複数の櫛歯の各流通路に対応する複数の第１連通孔を、塗布部材の回転操作だけで同時に開閉することが可能となる。
【００１４】
さらに、塗布部材を前記本体に対して第２吐出位置へ回転操作可能であってよい。キャップ本体には、第２吐出位置にある塗布部材の複数の流通路のうちの一部の流通路に対応する位置に、流通路と容器内部とを連通させる第２連通孔を設けることができる。該第２連通孔は前記吐出路の一部を構成する。塗布部材には、閉塞位置にあるときに各第２連通孔を塞ぐ第２閉塞部を設けることができる。該第２閉塞部と流通路とは、塗布部材の回転軸を中心とする同心円状に配置されていてよい。これによれば、塗布部材を第２吐出位置に回転操作した場合には、第１吐出位置に比して少ない数の櫛歯の流通路を開口させ、内容液剤の吐出路とすることができる。したがって、必要に応じて第１吐出位置と第２吐出位置とを選択して塗布部材を回転操作することで、櫛歯に供給する内容液剤の量を調整することができる。
【００１５】
好ましくは、流通路と、第１閉塞部と、第２閉塞部とが、塗布部材の回転軸を中心としてそれぞれ所定角度位置（例えば６０°の相対角度位置）に配設されているものとすることができる。これによれば、塗布部材が第１吐出位置にあるときに第２連通孔を第１閉塞部により閉塞させることができるとともに、塗布部材が第２吐出位置にあるときには第１連通孔を第２閉塞部により閉塞することができ、各吐出位置において吐出路として使用しない連通孔を確実に閉塞して、無用な液漏れ等を防止できる。
【００１６】
また、本発明のキャップにおいて、塗布部材は、円筒状の基部を備えるとともに該基部がキャップ本体に螺着されており、基部の内部空間に前記複数の櫛歯の流通路の基端が開口されており、キャップ本体は、容器内部空間と塗布部材の基部の内部空間とを仕切る天板部を備え、該天板部には、塗布部材の回転軸心を中心とする円周状の連通孔が設けられ、該連通孔は、塗布部材の基部の内部空間と容器内部空間とを連通させるものであり、塗布部材は、さらに、前記連通孔を閉塞するように嵌合可能な円筒状の栓を一体に備え、塗布部材が閉塞位置にあるとき前記栓が前記連通孔に嵌合し、塗布部材を第１吐出位置に回転操作することにより塗布部材が前記本体に対して螺進して前記栓が前記連通孔から離脱するものであってよい。これによれば、塗布部材が閉塞位置にあるときは、キャップ本体の連通孔に塗布部材の栓が嵌合することによって吐出路が閉塞される。一方、塗布部材が第１吐出位置にあるときは、キャップ本体の連通孔が開口し、該連通孔を介して容器内部の内容液剤がまず塗布部材の基部の内部空間に流入する。この流入した内容液剤は、基部の内部空間に開口する各櫛歯の流通路のそれぞれに流通し、櫛歯の先端近傍から吐出される。より好ましくは、連通孔並びに栓の直径は、２本以上（より好ましくは４本以上）の櫛歯の幅よりも大きくし、栓の内周側に複数の流通路を配設することができる。これによれば、櫛歯の流通路の断面積に対する連通孔の開口面積を十分に大きくし、各流通路における吐出圧の均一化、ひいては各流通路を介して供給される内容液剤の量の均一化を図ることも可能であり、ムラのない毛染めを行うことに役立つ。また、容器口部に取り付けたキャップ本体に対して塗布部材を螺着したので、２剤混合時にはキャップを容易に容器口部から取り外すことが可能である。
【００１７】
【発明の実施の形態】
以下、本発明の実施の形態を図面に基づいて説明する。
【００１８】
図１は、本発明の第１実施形態に係るキャップ１０をスクイズ性を有するボトル容器１の口部２に装着してなる毛染め剤用容器を示している。ボトル容器１は、流通・販売時には２剤混合型染毛剤の第１剤を内容物として収容するとともに、使用時には混合後の染毛剤を内容物として収容する。
【００１９】
キャップ１０は、容器１の口部２に着脱自在に螺着により取り付けられるキャップ本体１１と、該本体１１に対して閉塞位置（図１１参照）と第１吐出位置（図１２参照）と第２吐出位置（図１３参照）との間で回転操作可能に取り付けられた櫛部材２０（塗布部材）とを備えている。図示実施例では、第１吐出位置は、閉塞位置に対して櫛部材２０を平面視反時計回りに６０°回転した位置とされ、第２吐出位置は、閉塞位置に対して櫛部材２０を平面視時計回りに６０°回転した位置とされている。
【００２０】
この櫛部材２０は、容器内容物である毛染め剤を毛髪（被塗布対象）に塗布するのに用いられるものであって、図８〜図１０に示すように、円筒状の基部２１と、該基部２１の上端に設けられた頂壁部２２と、該頂壁部２２の上面から立設された８本の櫛歯２３とを備えている。これら８本の櫛歯２３は所定間隔を有して横一列に整列配置されており、これら櫛歯２３の上端近傍には横方向に貫通する貫通孔２３ａが設けられている。また、中央側の６本の櫛歯２３内部には、その基端側から先端側に延びて上記貫通孔２３ａに開口する流通路２４が形成されている。この流通路２４の基端は基部２１の内部空間に開口している。頂壁部２２の下面には、径の異なる複数の円筒部２５ａ，２５ｂ，２５ｃが同心円状に配設されている。図示実施例では、大中小の３つの円筒部が設けられている。そして、複数の櫛歯２３のうちの最も中央側の２本の櫛歯２３の流通路２４の基端開口は小円筒部２５ａの下面に形成され、その外側に隣接する２本の櫛歯２３の流通路２４の基端開口は中円筒部２５ｂの下面に形成され、さらにその外側に隣接する２本の櫛歯２３の流通路２４の基端開口は大円筒部２５ｃの下面に形成されている。さらに、各円筒部の下面には、各流通路２４の開口位置から一方向に６０°回転した位置に、略山状の第１閉塞部２６が形成されており、逆方向の６０°回転した位置にも、略山状の第２閉塞部２７が形成されている。第１閉塞部２６は、櫛部材２０が閉塞位置にあるときにキャップ本体１１の第１連通路３１を閉塞する部位であり、第２閉塞部２７は、櫛部材２０が閉塞位置にあるときにキャップ本体１１の第２連通路３２を閉塞する部位である。
【００２１】
なお、小円筒部２５ａと中円筒部２５ｂとは軸長が同じで且つ下面が同一平面上にある。大円筒部２５ｃは、中小の円筒部２５ａ，２５ｂに比して軸長が長く、大円筒部２５ｃの下面が、中小の円筒部２５ａ，２５ｂの下面よりも下方に位置している。
【００２２】
また、基部２１の上部内周面には、櫛部材２０をキャップ本体１１に対して閉塞位置、第１吐出位置及び第２吐出位置の各位置で保持するための保持突部２８が設けられており、図示実施例では、６０°毎に計６つの保持突部２８が設けられている。さらに、基部２１の下部内周面には、キャップ本体１１からの抜け防止のための凸部２９（アンダーカット部）が全周にわたって形成されている。
【００２３】
キャップ本体１１は、図３〜図７に詳細に示すように、容器口部２に被冠され螺着される円筒状の基部１３と、該基部１３の先端側に連設され且つ基部１３よりも小径の円筒状の支持筒部１４と、該支持筒部１４の上端に設けられた天板部１５とにより主構成されている。基部１３内周にはねじが設けられており、容器口部２に対して着脱自在に螺着できるようになっている。なお、キャップ本体１１を容器口部２に装着したときの液密性を確保するために、容器口部２の先端部内周面に密接する円筒状シール部１６が基部１３の先端部に一体成形されている。
【００２４】
支持筒部１４の軸方向中途部には、櫛部材２０を回転自在に保持しつつ該櫛部材２０の抜けを阻止するべく櫛部材２０の凸部２９に係合する凸部１７（アンダーカット部）が全周にわたって形成されている。支持筒部１４の上部外周には、閉塞位置、第１吐出位置及び第２吐出位置のいずれかの位置で櫛部材２０をキャップ本体１１に対して保持するように櫛部材２０の保持突部２６に係合する係合凸部１８が設けられている。図示実施例においては、係合凸部１８は直径方向に対向する位置の２カ所に設けられている。櫛部材２０は、その基部２１を支持筒部１４に図２に示すように嵌合することによって、キャップ本体１１に回転自在に装着される。
【００２５】
天板部１５の上面には、櫛部材２０の各円筒部２５ａ，２５ｂ，２５ｃが回転自在に嵌合する円筒状溝部１９ａ，１９ｂ，１９ｃが形成されている。そして、各溝部の底面から天板部１５を上下に貫通するように、第１吐出位置にある櫛部材２０の流通路２４と容器内部とを連通させる第１連通孔３１と、第２吐出位置にある櫛部材２０の流通路２４のうちの一部（例えば３つ）と容器内部とを連通させる第２連通孔３２とが形成されている。第１連通孔３１は、６つの流通路に対応して６つ横一列に整列配置されている。第２連通孔３２は、複数の流通路に対応して横一列に整列配置されているとともに、吐出量を制限するために一部の流通路２４に対応する位置では、閉塞部２６，２７の逃がしのための凹部３３のみが形成されている。第１連通孔３１と第２連通孔３２とは、６０°回転した位置に相対配置されている。なお、溝部１９ａ，１９ｂ，１９ｃの底面において、第１連通孔３１と第２連通孔３２の間には、図７にも示すように、キャップ本体１１の上記閉塞部２６，２７の逃がしのための円弧状凹部３４が形成されていて、各連通孔３１，３２が形成されている部分が凹部３４から傾斜面３５を介して上方に隆起されており、これにより、閉塞部２６，２７による連通孔３１，３２の密封性を向上している。
【００２６】
次に、上記キャップ１０の作用を、図１１〜図１３に基づいて説明する。櫛部材２０がキャップ本体１１に対して閉塞位置にあるときは、図１１に示すように、キャップ本体１１の各連通孔３１，３２がそれぞれ対応する閉塞部２６，２７によって閉塞されるため、容器内部から櫛歯２３の貫通孔２３ａに至る吐出路が閉塞された状態となり、かかる閉塞状態では容器口部２がキャップ１０によって密封されている。したがって、かかる櫛部材２０を装着した状態で、毛染め剤の第１剤を容器に収容密封し、流通・販売することができる。
【００２７】
２剤混合作業を行う際には、キャップ本体１１を介して容器口部２に装着された櫛部材２０とともにキャップ本体１１を口部２から取り外し、口部２から第２剤を容器内に流入した後、キャップ１０を再度口部２に装着して、櫛部材２０を閉塞位置に保持した状態でよく振り混ぜることができる。
【００２８】
そして、混合された毛染め剤をを吐出塗布する際には、櫛部材２０を第１吐出位置及び第２吐出位置のいずれかまで回転操作する。
【００２９】
櫛部材２０が第１吐出位置にあるとき、図１２に示すように、櫛部材２０の流通路２４とキャップ本体１１の第１連通孔３１とが合致し、これら流通路２４と第１連通路３１とによって、容器内の毛染め剤を櫛歯先端部から吐出するための吐出路が形成される。この状態で容器１をスクイズすることにより、毛染め剤を押圧吐出できる。なお、この第１吐出位置にあるとき、キャップ本体１１の第２連通孔３２が、櫛部材２０の第１閉塞部２６によって閉塞されるため、第２連通孔３２からの液漏れを防止できる。
【００３０】
一方、櫛部材２０が第２吐出位置にあるとき、図１３に示すように、櫛部材２０の流通路２４とキャップ本体１１の第２連通孔３２とが合致し、これら流通路２４と第２連通路３２とによって、容器内の毛染め剤を櫛歯先端部から吐出するための吐出路が形成される。このときの吐出路の数は、第２連通孔３２の数に等しく、第１吐出位置の場合よりも少ない数とされているから、吐出量を少量に制限できる。なお、この第２吐出位置にあるとき、キャップ本体１１の第１連通孔３１は、櫛部材２０の第２閉塞部２７によって閉塞されるため、第１連通孔３１からの液漏れを確実に防止できる。
【００３１】
図１４〜図１８は本発明の第２実施形態に係るキャップ１０’を示しており、上記第１実施形態と同様の構成については同符号を付して詳細説明を省略し、異なる構成、作用効果について以下説明する。
【００３２】
本第２実施形態が上記第１実施形態と異なる点は、主として、吐出路の構造並びにキャップ本体１１と櫛部材２０との嵌合構造と、櫛部材２０の回転操作位置が閉塞位置と吐出位置（第１吐出位置）の２位置である点である。また、本実施形態では、櫛部材２０の頂壁部２２の下面に上記円筒部が設けられていないとともに、キャップ本体１１の天板部１５にも円周状溝部が形成されていない。さらに、キャップ本体１１と櫛部材２０とは、ネジ機構によって螺合されている。
【００３３】
本実施形態においては、キャップ本体１１の天板部１５には、櫛部材２０の回転軸心を中心とする円周状の連通孔４０が設けられている。この連通孔４０の直径は、４本分の櫛歯２３の幅よりも若干大きく、６本分の櫛歯２３の幅よりも若干小さく形成されている。なお、連通孔４０よりも中心側の天板部１５の中央壁部１５ａは、周方向に離間する複数のリブ１５ｂによって周壁部１５ｃに支持されており、隣接するリブ１５ｂ間において連通孔４０が上下に開口形成されており、この連通孔によって、櫛部材２０の基部２１の内部空間と容器内部空間とが連通される。
【００３４】
一方、櫛部材２０は、さらに、上記連通孔４０を閉塞するように嵌合可能な円筒状の栓４１を一体に備えている。該栓４１の直径は、連通孔４０の直径と合致するものであるとともに、栓４１は連通孔４０に対して軸方向移動自在且つ回転自在に嵌合する。この栓４１は、櫛部材２０の頂壁部２２の下面から下方に向けて突設されている。
【００３５】
また、キャップ本体１１の支持筒部１４外周面には、図１５に示すように、ネジ溝４３が形成されている。一方、櫛部材２０の基部２１内周には、ネジ溝４３に係合する突起４４が形成されている。なお、キャップ本体１１の支持筒部１４には、突起４４のネジ溝４３への嵌入を円滑に行わせるための傾斜案内面４５が、ネジ溝４３の傾斜上方側端部に対応する位置に設けられている。
【００３６】
櫛部材２０が閉塞位置にあるとき前記栓４１が連通孔４０に嵌合して該連通孔４０を閉塞するため、容器内部から櫛歯先端部に至る吐出路が閉じられた状態となる。一方、櫛部材２０を閉塞位置から吐出位置に回転操作すると、櫛部材２０がネジ機構によってキャップ本体１１に対して螺着されているため、櫛部材２０がキャップ本体１１に対して上方に移動し、前記栓４１が連通孔４０から離脱することによって、連通孔４０、基部２１の内部空間並びに櫛歯２３の流通路２４により吐出路が開口形成される。
【００３７】
本発明は上記各実施形態に限定されるものではなく、適宜設計変更することが可能である。例えば、上記第１実施形態において、円筒部２５ａ，２５ｂ，２５ｃ並びに円筒状溝部１９ａ，１９ｂ，１９ｃは設けなくともよく、また、円筒部をキャップ本体側に設けるとともに円筒状溝部を櫛部材側に設けることも可能である。また、閉塞位置と各吐出位置との間の回転角度は、６０°に限定されるものではなく、必要に応じて適宜の角度とすることができる。また、櫛歯の数や流通路の数なども上記実施形態に限定されるものではない。
【００３８】
【発明の効果】
本発明によれば、二剤混合等のために容器口部に対して着脱可能に櫛歯部材を備えるキャップを構成しながら、構造の簡素化を図りつつも内容液の吐出路の開閉を簡単な操作で行うことができる。したがって、予め櫛部材などの塗布部材を毛染め容器に装着した状態で流通・販売することができ、２剤混合時においては、一度キャップを脱着するだけで、液漏れすることなく十分な混合を行わせることができ、使用時には櫛部材の回転操作だけで、櫛歯への吐出路の開閉を行うことができるから、使用時の利便性が向上するとともに、櫛部材を装着したままでも吐出路を閉じることで所定期間の保管を行うことができる。
【図面の簡単な説明】
【図１】本発明の第１実施形態に係るキャップを装着した毛染め剤用容器を示し、（ａ）は平面図、（ｂ）は要部を断面で示す正面図、（ｃ）は要部を断面で示す側面図である。
【図２】同キャップのキャップ本体と櫛部材との嵌合構造の詳細断面図である。
【図３】同キャップのキャップ本体の拡大平面図である。
【図４】図３のＡ−Ａ線断面図である。
【図５】図３のＢ−Ｂ線断面図である。
【図６】図３のＣ−Ｃ線断面図である。
【図７】図３のＤ−Ｄ線拡大断面図である。
【図８】同キャップの塗布部材の底面図である。
【図９】図８のＥ−Ｅ線断面図である。
【図１０】図８のＦ−Ｆ線断面図である。
【図１１】同キャップの閉塞状態を示す作用説明図である。
【図１２】同キャップの第１吐出状態を示す作用説明図である。
【図１３】同キャップの第２吐出状態を示す作用説明図である。
【図１４】本発明の第２実施形態に係るキャップを示し、（ａ）は平面図、（ｂ）はＧ−Ｇ線断面図、（ｃ）はＨ−Ｈ線断面図である。
【図１５】同キャップのキャップ本体を示し、（ａ）は平面図、（ｂ）は正面図、（ｃ）は底面図である。
【図１６】図１５のＩ−Ｉ線断面図である。
【図１７】図１５のＪ−Ｊ線断面図である。
【図１８】同キャップの櫛部材を示し、（ａ）は平面図、（ｂ）は縦断面図、（ｃ）は底面図、（ｄ）はＫ−Ｋ線断面図である。
【符号の説明】
１  容器
２  口部
１０，１０’  キャップ
１１  キャップ本体
２０  櫛部材（塗布部材）
２１  基部
２３  櫛歯
２４  流通路
２６  第１閉塞部
２７  第２閉塞部
３１  第１連通路
３２  第２連通路
４０  連通孔
４１  栓
【図１】
2004180965.tif 000003
【図２】
2004180965.tif 000004
【図３】
2004180965.tif 000005
【図４】
2004180965.tif 000006
【図５】
2004180965.tif 000007
【図６】
2004180965.tif 000008
【図７】
2004180965.tif 000009
【図８】
2004180965.tif 000010
【図９】
2004180965.tif 000011
【図１０】
2004180965.tif 000012
【図１１】
2004180965.tif 000013
【図１２】
2004180965.tif 000014
【図１３】
2004180965.tif 000015
【図１４】
2004180965.tif 000016
【図１５】
2004180965.tif 000017
【図１６】
2004180965.tif 000018
【図１７】
2004180965.tif 000019
【図１８】
2004180965.tif 000020